(57)【要約】【課題】通風抵抗を増やすこと無くエアフィルタの移動を規制する。【解決手段】エアフィルタ２５は、熱交換器の風上側に配置され、熱交換器で熱交換される室内空気が通過するときに、通過する室内空気から塵埃を除去するフィルタ本体及びフィルタ本体を支持するためのフィルタ枠体２５２を含む。本体フレーム１９は、フィルタ枠体２５２を支持する。フィルタ押え部材３００は、フィルタ枠体２５２を押える。フィルタ押え部材３００が凸部３０４を有する。フィルタ枠体２５２がフィルタ押え部材３００の凸部３０４に係合する係合部である貫通穴２５３を有する。【選択図】図２２
2017020665.tif 000002
【特許請求の範囲】
【請求項１】
室内空気と冷媒との熱交換を行なう熱交換器（１３）と、
前記熱交換器の風上側に配置され、前記熱交換器で熱交換される室内空気が通過するときに、通過する室内空気から塵埃を除去するフィルタ本体（２５１）及び前記フィルタ本体を支持するためのフィルタ枠体（２５２）を含むエアフィルタ（２５，２５Ａ，２５Ｂ，２５Ｃ）と、
前記フィルタ枠体を支持する本体フレーム（１９，１９Ａ，１９Ｂ）と、    
前記フィルタ枠体を押えるフィルタ押え部材（３００，３００Ａ，３００Ｂ，３００Ｃ）と、
を備え、
前記フィルタ枠体が凸部（２５５，２５６）を有し、前記本体フレーム及び／又は前記フィルタ押え部材が前記フィルタ枠体の前記凸部に係合する係合部（２０５，３０９）を有する、或いは、前記本体フレーム及び／又は前記フィルタ押え部材が凸部（２０４，３０４，３１１）を有し、前記フィルタ枠体が前記本体フレーム及び／又は前記フィルタ押え部材の前記凸部に係合する係合部（２５３，２５４，２５７）を有する、空気調和機。
【請求項２】
前記エアフィルタに対して相対移動可能な塵埃除去ユニット（７３）を有し、前記塵埃除去ユニットを相対移動させて前記エアフィルタから塵埃を自動的に除去する自動清掃機構（７０）をさらに備える、
請求項１に記載の空気調和機。
【請求項３】
前記本体フレーム及び／又は前記フィルタ押え部材は、前後方向に長く延びた第１伸延部（２５２ａ）をさらに有し、前記凸部又は前記係合部が前記第１伸延部に形成されている、
請求項１又は請求項２に記載の空気調和機。
【請求項４】
前記エアフィルタは、前後に抜き差し可能に構成され、
前記凸部及び前記係合部は、前後に長い形状を有する、
請求項１から３のいずれか一項に記載の空気調和機。
【請求項５】
前記本体フレーム及び／又は前記フィルタ押え部材は、前後方向と交差する方向に長く延びた第２伸延部（３１０）をさらに有し、前記凸部又は前記係合部が前記第２伸延部に形成されている、
請求項１から４のいずれか一項に記載の空気調和機。
【請求項６】
前記フィルタ押え部材は、前記凸部又は前記係合部を有し、後部が軸支され、前記本体フレームとの間に前記エアフィルタを挿入するときに前部を持ち上げられるように構成されている、
請求項１から５のいずれか一項に記載の空気調和機。
【請求項７】
前記フィルタ押え部材は、前部に第１嵌合部（３０６）をさらに有し、
前記本体フレームは、前記フィルタ押え部材の前記第１嵌合部に嵌め合わされる第２嵌合部（１９８）を有する、
請求項１から６のいずれか一項に記載の空気調和機。
【請求項８】
前記フィルタ押え部材、前記フィルタ枠体及び前記本体フレームの全てが、前記凸部又は前記係合部を有する、
請求項１から７のいずれか一項に記載の空気調和機。
【請求項９】
前記エアフィルタは、前記係合部として前記フィルタ枠体に貫通穴（２５３，２５４，２５７）が形成されている、
請求項１から８のいずれか一項に記載の空気調和機。
【発明の詳細な説明】
【技術分野】
【０００１】
本発明は、空気調和機に関する。
【背景技術】
【０００２】
従来から、空気調和機には、機内に取り入れる室内空気から塵埃を除去するためのエアフィルタが設けられるのが一般的である。例えば特許文献１（特開平１０−２６３９９号公報）などに開示されているエアフィルタを備える空気調和機では、通常、メンテナンスのためにエアフィルタが着脱できるように構成されている。
【発明の概要】
【発明が解決しようとする課題】
【０００３】
特許文献１に記載されているような着脱自在のエアフィルタでは、運転時にエアフィルタを通過しないで機内に室内空気が吸入されるバイパスが形成されないようにするために位置決めが必要になる。ところが、位置決めをしてエアフィルタを固定する機構が室内空気の流通の妨げとなることから、エアフィルタを固定する機構がエアフィルタの通風抵抗を増加させる一つの要因となっている。エアフィルタの通風抵抗が大きくなると空気調和機の性能低下につながることから、エアフィルタを固定する機構による通風抵抗の増加を避けたいという要求がある。
【０００４】
また、エアフィルタを自動的に清掃するための自動清掃機構を備えている空気調和機もある。このような空気調和機においては、清掃ブラシがエアフィルタに沿って移動して塵埃を除去し、当該清掃ブラシと一緒に移動するダストボックスに塵埃を収納するので、静止しているエアフィルタに清掃ブラシの移動にともなう応力が加わることになる。このような空気調和機では、エアフィルタのメンテナンスのためにエアフィルタを取り外せる構造にしなければならないのと同時に、エアフィルタに応力が加わってもガタつかないようにエアフィルタを止めなければならなくなり、エアフィルタを強固に固定する機構を用いることで通風抵抗が大きくなる傾向がある。
【０００５】
本発明の課題は、通風抵抗を増やすこと無くエアフィルタの移動を規制することである。
【課題を解決するための手段】
【０００６】
本発明の第１観点に係る空気調和機は、室内空気と冷媒との熱交換を行なう熱交換器と、熱交換器の風上側に配置され、熱交換器で熱交換される室内空気が通過するときに、通過する室内空気から塵埃を除去するフィルタ本体及びフィルタ本体を支持するためのフィルタ枠体を含むエアフィルタと、フィルタ枠体を支持する本体フレームと、フィルタ枠体を押えるフィルタ押え部材と、を備え、フィルタ枠体が凸部を有し、本体フレーム及び／又はフィルタ押え部材がフィルタ枠体の凸部に係合する係合部を有する、或いは、本体フレーム及び／又はフィルタ押え部材が凸部を有し、フィルタ枠体が本体フレーム及び／又はフィルタ押え部材の凸部に係合する係合部を有する。
【０００７】
本発明の第１観点に係る空気調和機では、フィルタ枠体が凸部を有し、本体フレーム及び／又はフィルタ押え部材がフィルタ部材の凸部に係合する係合部を有する、或いは、本体フレーム及び／又はフィルタ押え部材が凸部を有し、フィルタ枠体が本体フレーム及び／又はフィルタ押え部材の凸部に係合する係合部を有することから、フィルタ本体の通風を邪魔すること無く凸部と係合部とを係合させて本体フレームとフィルタ押え部材とでエアフィルタを固定できる。
【０００８】
本発明の第２観点に係る空気調和機は、第１観点の空気調和機において、エアフィルタに対して相対移動可能な塵埃除去ユニットを有し、塵埃除去ユニットを相対移動させてエアフィルタから塵埃を自動的に除去する自動清掃機構をさらに備える、ものである。この空気調和機では、塵埃除去ユニットを相対移動させてエアフィルタから塵埃を自動的に除去する自動清掃機構を備えているが、自動清掃機構によるエアフィルタの塵埃除去時にエアフィルタに応力が加わっても凸部と係合部の係合によってガタつかないように固定できる。
【０００９】
本発明の第３観点に係る空気調和機は、第１観点又は第２観点の空気調和機において、本体フレーム及び／又はフィルタ押え部材は、前後方向に長く延びた第１伸延部をさらに有し、凸部又は係合部が第１伸延部に形成されている、ものである。この空気調和機では、凸部又は係合部が本体フレーム及び／又はフィルタ押え部材の第１伸延部に形成されるとともに係合部又は凸部がフィルタ枠体に設けられ、凸部及び係合部がフィルタ枠体から食み出してフィルタ本体に掛からないことから、凸部及び係合部によって通風抵抗が増すことが防止されている。
【００１０】
本発明の第４点に係る空気調和機は、第１観点から第３観点のいずれかの空気調和機において、エアフィルタは、前後に抜き差し可能に構成され、凸部及び係合部は、前後に長い形状を有する、ものである。この空気調和機では、凸部及び係合部が前後に長いことから、エアフィルタを前後に差し込んだときに、本体フレーム及び／又はフィルタ押え部材の凸部又は係合部とフィルタ枠体の係合部又は凸部とを嵌合させ易くなる。
【００１１】
本発明の第５観点に係る空気調和機は、第１観点から第４観点のいずれかの空気調和機において、本体フレーム及び／又はフィルタ押え部材は、前後方向と交差する方向に長く延びた第２伸延部をさらに有し、凸部又は係合部が第２伸延部に形成されている、ものである。この空気調和機では、凸部又は係合部が本体フレーム及び／又はフィルタ押え部材の第２伸延部に形成されていることから、第１伸延部と協働してエアフィルタの前後左右の動きの十分な規制が実現できる。
【００１２】
本発明の第６観点に係る空気調和機は、第１観点から第５観点のいずれかの空気調和機において、フィルタ押え部材は、凸部又は係合部を有し、後部が軸支され、本体フレームとの間にエアフィルタを挿入するときに前部を持ち上げられるように構成されている、ものである。この空気調和機では、フィルタ押え部材の後部が軸支されていることから、フィルタ押え部材を持ち上げたときに軸支されている部分から凸部又は係合部までの距離を常に一定にすることができる。
【００１３】
本発明の第７観点に係る空気調和機は、第１観点から第６観点のいずれかの空気調和機において、フィルタ押え部材は、前部に第１嵌合部をさらに有し、本体フレームは、フィルタ押え部材の第１嵌合部に嵌め合わされる第２嵌合部を有する、ものである。この空気調和機では、フィルタ押え部材の第１嵌合部と本体フレームの第２嵌合部とを嵌め合わせることで、エアフィルタの係合部又は凸部に本体フレーム及び／又はフィルタ押え部材の凸部又は係合部を係合させることができ、エアフィルタをフィルタ押え部材と本体フレームの間に挟み込んだ状態で簡単にエアフィルタを固定することができる。
【００１４】
本発明の第８観点に係る空気調和機は、第１観点から第７観点のいずれかの空気調和機において、フィルタ押え部材、フィルタ枠体及び本体フレームの全てが、凸部又は係合部を有する、ものである。この空気調和機では、フィルタ押え部材、フィルタ枠体及び本体フレームの３つの全てを用いてエアフィルタを固定できる。
【００１５】
本発明の第９観点に係る空気調和機は、第１観点から第８観点のいずれかの空気調和機において、エアフィルタは、係合部としてフィルタ枠体に貫通穴が形成されている、ものである。この空気調和機では、フィルタ枠体に凸部を形成しなくても済む。
【発明の効果】
【００１６】
本発明の第１観点に係る空気調和機では、通風抵抗を増やすこと無くエアフィルタの動きの十分な規制が実現できる。
【００１７】
本発明の第２観点に係る空気調和機では、塵埃除去動作時におけるエアフィルタの移動を規制することができる。
【００１８】
本発明の第３観点に係る空気調和機では、通風抵抗を増やすこと無くエアフィルタの動きを十分に規制できる構成を容易に実現できる。
【００１９】
本発明の第４観点に係る空気調和機では、エアフィルタの取り付け易さを確保しながらエアフィルタの十分な規制を実現できる。
【００２０】
本発明の第５観点に係る空気調和機では、エアフィルタの移動を強く規制することができる。
【００２１】
本発明の第６観点に係る空気調和機では、エアフィルタを挿入したときにエアフィルタの係合部又は凸部とフィルタ押え部材の凸部又は係合部とを係合し易くなる。
【００２２】
本発明の第７観点に係る空気調和機では、エアフィルタの取り付けと取り外しを簡単に行なえるようになる。
【００２３】
本発明の第８観点に係る空気調和機では、より確実にエアフィルタを固定することができる。
【００２４】
本発明の第９観点に係る空気調和機では、エアフィルタの凸部を無くすことで、エアフィルタの挿入がスムーズになる。
【図面の簡単な説明】
【００２５】
【図１】本発明の一実施形態に係る空気調和機の空調室内機の斜視図。
【図２】図１に示された空調室内機のＩ−Ｉ線断面図。
【図３】図１に示された空調室内機のＩ−Ｉ線断面図。
【図４】フレームに固定されたフィルタ支持リブにフィルタを設置した状態の斜視図。
【図５】ガイドフレームに設けられた移動経路を説明するための図。
【図６】（ａ）エアフィルタの斜視図、（ｂ）エアフィルタの部分拡大図。
【図７】フィルタが設置された状態を説明するための本体フレームの斜視図。
【図８】フィルタが設置された状態を説明するための本体フレームの斜視図。
【図９】フィルタの後側端部周辺の部分断面図。
【図１０】（ａ）近接状態を採る塵埃除去ユニットの斜視図、（ｂ）離反状態を採る塵埃除去ユニットの斜視図。
【図１１】（ａ）清掃ユニットの断面図、（ｂ）締結時と離反時の両方の状態をとらせた除去部の端部を拡大した断面斜視図。
【図１２】（ａ）図１０（ａ）に示されている塵埃除去ユニットのＩＩ−ＩＩ線矢視断面図、（ｂ）図１０（ｂ）に示されている塵埃除去ユニットのＩＩＩ−ＩＩＩ線矢視断面図。
【図１３】清掃ユニット及びダストボックスの断面図。
【図１４】フィルタの前側端部における清掃ユニットの側面図。
【図１５】フィルタの前側端部近傍に移動した清掃ユニットを示す側面図。
【図１６】フィルタの後側端部近傍に移動した清掃ユニットを示す側面図。
【図１７】ガイド部材上に位置する清掃ユニットの側面図。
【図１８】（ａ）塵埃回収動作時の清掃ユニットとダストボックスとの位置関係を説明するための図、（ｂ）塵埃回収動作時の清掃ユニットとダストボックスとの位置関係を説明するための図。
【図１９】本体フレームとエアフィルタとフィルタ押え部材を示す斜視図。
【図２０】（ａ）本体フレームの後部の一部を拡大した部分拡大斜視図、（ｂ）図１９（ａ）のＩＶ-ＩＶ線矢視断面図。
【図２１】上部リブの凹部を説明するための上部リブの斜視図。
【図２２】フィルタ押え部材の凸部とエアフィルタの貫通穴と本体フレームの凹部を示す部分拡大斜視図。
【図２３】本体フレームに凸部がある場合の変形例を説明するための斜視図。
【図２４】フィルタ枠体に凸部がある場合の変形例を説明するための斜視図。
【図２５】フィルタ押え部材の第２伸延部に凸部がある場合の変形例を説明するための斜視図。
【発明を実施するための形態】
【００２６】
本発明の一実施形態に係るに係る空気調和機は、図１及び図２に示す空調室内機１００と空調室外機（図示せず）とを備えている。本願発明にとって重要な構成は、図２に示すエアフィルタ２５とその周辺の構成であることから、以下の実施形態の説明においては、空調室内機１００について説明し、空調室外機についての説明を省略する。
【００２７】
（１）空調室内機１００の構成
図１には、空調室内機１００を正面右斜め上から見た外観が示されている。図２及び図３は、Ｉ−Ｉ線で切断した空調室内機１００の断面図であって、図２には水平フラップ２３ａが開いた状態が示され、図３には水平フラップ２３ａが閉じた状態が示されている。図２には、自動清掃機構７０の備える塵埃除去ユニット７３が初期位置にある状態が描かれており、図３には、自動清掃機構７０の備える塵埃除去ユニット７３がフィルタ押え部材３００の前側端部３０１にある状態が示されている。空調室内機１００は、室内の壁面等に取り付けられ、室外に設置されている室外機（図示せず）に冷媒配管（図示せず）を介して接続されている。
【００２８】
空調室内機１００は、室内を冷房する冷房運転及び室内を暖房する暖房運転を行うことができる。さらに、図２及び図３に示すように、空調室内機１００は、エアフィルタ２５を清掃するための自動清掃機構７０を備えており、エアフィルタ２５に対して自動清掃機構７０の塵埃除去ユニット７３が移動することによって自動でエアフィルタ２５から塵埃を除去する自動清掃運転を行うこともできる。
【００２９】
なお、エアフィルタ２５は、図１に示されているようにガイドフレーム１９２を挟んで左右に一つずつ配置されている。また、それら２つのエアフィルタ２５を清掃するための自動清掃機構７０や後述するフィルタ押え部材３００などもそれらエアフィルタ２５に対応してガイドフレーム１９２の左右に一組ずつ配置されている。これら２つのエアフィルタ２５に関連する構成は、ガイドフレーム１９２に対して左右対称に配置されているので、以下の説明では、いずれか一方のみを説明して他方の説明を省略する場合がある。
【００３０】
（２）詳細構成
空調室内機１００は、ケーシング１１と、室内熱交換器１３と、室内ファン１５と、エアフィルタ２５と、本体フレーム１９と、ガイド部材１４と、自動清掃機構７０とを備えている（図１乃至図３参照）。
【００３１】
（２−１）ケーシング１１
ケーシング１１は、横方向（空調室内機１００の左右方向（図４参照））に細長くかつ複数の開口を持つ箱のような形状を呈する。ケーシング１１は、図２及び図３に示すように、天面部１１ａ、前面板１１ｂ、背面板１１ｃ、右側板１１ｄ及び左側板１１ｅによって囲まれた立体空間を内部に有し、その立体空間内に室内熱交換器１３、室内ファン１５、本体フレーム１９、エアフィルタ２５、ガイド部材１４、底フレーム１７及び自動清掃機構７０が収納されている。
【００３２】
天面部１１ａは、ケーシング１１の上端部に位置する。前面板１１ｂは、ケーシング１１の正面を構成する。また、前面板１１ｂは、その上端が天面部１１ａにヒンジ（図示せず）で回動自在に支持されている。右側板１１ｄ及び左側板１１ｅは、それぞれケーシング１１の右側面及び左側面を構成する。
【００３３】
背面板１１ｃは、ケーシング１１の背面を構成している。この背面板１１ｃが、室内の壁面に設置された取り付け板（図示せず）にビス止め等によって取り付けられることによって、空調室内機１００が室内の壁面に設置される。
【００３４】
ケーシング１１の天面部１１ａには、天面部１１ａの前側から後側にかけて天面吸込口２１が設けられている。この天面吸込口２１から天面吸込口２１近傍の室内空気が室内ファン１５の駆動によってケーシング１１内部へと取り込まれ、室内熱交換器１３の前側熱交換部１３ａ，１３ｂ及び後側熱交換部１３ｃそれぞれに送られる。図２の破線の矢印Ａが、天面吸込口２１から前側熱交換部１３ａ，１３ｂ及び後側熱交換部１３ｃを介して室内ファン１５へと送られる室内空気の流れを表している。
【００３５】
ケーシング１１の下面は、底フレーム１７の底部１７ａによって構成されているが、該下面には、下面吸込口２２と、吹出口２３とが形成されている。下面吸込口２２は、吹出口２３よりも壁側に設けられており、吸込流路１６によってケーシング１１の内部と繋がっている。下面吸込口２２からは、下面吸込口２２近傍の室内空気が、室内ファン１５の駆動によってケーシング１１内部へと取り込まれ、吸込流路１６を通って室内熱交換器１３の後側熱交換部１３ｃへと送られる。図２の破線の矢印Ｂが、下面吸込口２２から後側熱交換部１３ｃへと送られる室内空気の流れを表している。
【００３６】
吹出口２３は、下面吸込口２２よりも空調室内機１００の正面側に設けられており、吹出流路１８によってケーシング１１の内部と繋がっている。天面吸込口２１及び下面吸込口２２から吸い込まれ室内空気は、室内熱交換器１３にて熱交換された後、吹出流路１８を通って吹出口２３から室内へと吹き出される。図２の破線の矢印Ｃが、吹出流路１８から吹出口２３を介して室内へと送られる空気の流れを表している。
【００３７】
吸込流路１６は、下面吸込口２２から底フレーム１７の流路形成壁１７ｂに沿って形成されている。そして、これら吸込流路１６と吹出流路１８は、流路形成壁１７ｂを間に挟んで隣接している。
【００３８】
なお、吹出口２３付近には、水平フラップ２３ａがケーシング１１に対して回動可能に取り付けられている。水平フラップ２３ａは、フラップ駆動用モータ（図示せず）によって回動し、空調室内機１００の運転状態に応じて吹出口２３を開閉する。さらに、水平フラップ２３ａは、吹出口２３から吹き出された室内空気がユーザの所望する方向へと案内されるように、室内空気の吹き出し方向を変更する機能を有する。
【００３９】
（２−２）室内熱交換器１３
室内熱交換器１３は、複数のフィンと複数の伝熱管とで構成されている。室内熱交換器１３は、ケーシング１１内部において、底フレーム１７の一部分に取り付けられている。室内熱交換器１３は、空調室内機１００の運転状態に応じて蒸発器または凝縮器として機能し、伝熱管の中を流れる冷媒と室内熱交換器１３を通過する空気との間で熱交換を行わせる。
【００４０】
室内熱交換器１３は、図２及び図３に示すように、側面視において両端が下方に向いて屈曲する略逆Ｖ字型の形状を有し、その下方に室内ファン１５が位置している。また、図１に示されている空調室内機１００は、湿度の高い空気を供給するために室内熱交換器１３に対向して左側に略直方体状の加湿ダクト４００を有しているが、このような加湿ダクト４００が設けられなくてもよい。
【００４１】
（２−３）室内ファン１５
室内ファン１５は、ケーシング１１の内部に位置しており、空調室内機１００の長手方向（左右方向）に細長い略円筒形状のクロスフローファンである。室内ファン１５が稼働することによって、室内空気が天面吸込口２１及び下面吸込口２２それぞれから吸い込まれて室内熱交換器１３を通過した後に、室内熱交換器１３を通過することで生成された調和空気が吹出口２３から室内へと供給される（図２の破線の矢印Ａ，Ｂ，Ｃを参照）。
【００４２】
（２−４）底フレーム１７
底フレーム１７は、底部１７ａと流路形成壁１７ｂとで構成されている。底部１７ａは、ケーシング１１の下面の少なくとも一部を構成する要素であって、底フレーム１７のうちの空調室内機１００の外部に露出する部分である。
【００４３】
流路形成壁１７ｂは、底フレーム１７のうちの、ケーシング１１の内部に位置する部位である。流路形成壁１７ｂは、底部１７ａの一端から上方に延びており、且つ室内ファン１５の形状に沿って湾曲した形状を成している。
【００４４】
（２−５）本体フレーム１９
図４は、ケーシング１１及び底フレーム１７を取り外した状態の空調室内機１００の斜視図である。図５は、ガイドフレーム１９１を内側（図４に示す矢印ａ方向）から見た図である。なお、図４では、エアフィルタ２５が右側にだけ取り付けられ左側には取り付けられておらず、エアフィルタ２５の網目や室内ファン１５などが省略されている。また、図５では、ダストボックス７２及び塵埃除去ユニット７３が配置された状態を描いている。
【００４５】
本体フレーム１９は、図４に示すように、３つのガイドフレーム１９１，１９２，１９３と、各ガイドフレーム１９１，１９２，１９３の前後端部を連結する連結部材１９４と、を有する。ガイドフレーム１９１，１９２，１９３には、後述する塵埃除去ユニット７３をエアフィルタ２５に沿って移動させるための移動経路１９５が設けられている（図５参照）。さらに、ガイドフレーム１９１，１９２，１９３には、塵埃除去ユニット７３に後述する接触動作を行わせるための接触用ガイド凸部１９６が設けられている。接触用ガイド凸部１９６は、ここでは、空調室内機１００の正面視において左側に位置するガイドフレーム１９１及び右側に位置するガイドフレーム１９３では、内側面であって移動経路１９５の後側端部近傍に設けられており、空調室内機１００の正面視において中央に位置するガイドフレーム１９２では、両側面であって移動経路１９５の後側端部近傍に設けられている。また、接触用ガイド凸部１９６は、移動経路１９５の後側端部に向かうにつれて移動経路１９５と接触用ガイド凸部１９６との距離が徐々に小さくなるように構成された接触面１９７を含んでいる。
【００４６】
（２−６）エアフィルタ２５
図６（ａ）はエアフィルタ２５の斜視図であり、図６（ｂ）にはエアフィルタ２５の一部が拡大して示されている。なお、図６においては、エアフィルタ２５の網目の記載が省略されている。エアフィルタ２５は、平板状の部品であって、平面視における全体的な形状がほぼ長方形である。エアフィルタ２５は、室内空気中の塵埃を捕集するフィルタ本体２５１と、フィルタ本体２５１を囲むように枠状に形成されているフィルタ枠体２５２とを有する。フィルタ本体２５１は、例えば、樹脂製の糸からなる網である。フィルタ枠体２５２は、フィルタ本体２５１つまり樹脂製の網の周囲に網と一体に形成された樹脂枠である。このような構成により、樹脂製の網からなるフィルタ本体２５１は、樹脂製のフィルタ枠体２５２によって支えられる。
【００４７】
フィルタ枠体２５２には、塵埃除去ユニット７３の移動方向（前後方向）に長く延びた第１伸延部２５２ａと、塵埃除去ユニット７３の移動方向と交差する方向（左右方向）に長く延びた第２伸延部２５２ｂとを有している。第１伸延部２５２ａには、前後に長い形状を有する貫通穴２５３が前後に複数並んで形成されている。貫通穴２５３は、後述する凸部３０４と係合する係合部である。貫通穴２５３の前後の傾斜壁２５３ａ，２５３ｂは、前方の傾斜壁２５３ａの傾斜が急で短く、後方の傾斜壁２５３ｂの傾斜が緩やかで長くなっている。貫通穴２５３がこのような構造を持つことから、凸部３０４と貫通穴２５３が互いに嵌め込み易くかつ位置合せが容易であって、凸部３０４と貫通穴２５３とが係合した後は互いに強固に固定される。また、自動清掃機構７０の塵埃除去ユニット７３の移動方向と同じ方向に沿って、凸部３０４及び貫通穴２５３（係合部）があることで、自動清掃機構７０の塵埃除去ユニット７３の移動に伴うエアフィルタ２５のズレを、より確実に固定できる。
【００４８】
図７及び図８は、エアフィルタ２５を装着した状態のフィルタ押え部材３００が固定された本体フレーム１９の一部を斜め方向から見た図である。また、図７及び図８では、空調室内機１００の正面視において右側に位置するエアフィルタ２５のみがフィルタ押え部材３００に装着された状態を描いており、特に、図８では、エアフィルタ２５のフィルタ本体２５１を省略して描いている。
【００４９】
エアフィルタ２５は、天面吸込口２１及び下面吸込口２２から吸い込まれた室内空気中の塵埃を捕集するためのものである。エアフィルタ２５は、ケーシング１１の天面部１１ａと室内熱交換器１３との間に配置されており、ケーシング１１の内部に取り付けたり、内部から取り出したりすることができるようになっている。そして、エアフィルタ２５は、ケーシング１１の内部に装着されて固定された状態で、前側熱交換部１３ａ，１３ｂ及び後側熱交換部１３ｃを覆う。
【００５０】
エアフィルタ２５は、その中央の部分がケーシング１１の天面部１１ａに沿って延びており、さらにはその前後方向における前側端部２５ａ及び後側端部２５ｂが室内熱交換器１３の頂点１３ｄ（図２及び図３参照）よりも下方に落ち込んだところで固定されている。すなわち、エアフィルタ２５は、側面視において、室内熱交換器１３の上方を覆うような略逆Ｊ字形状を有している。そして、ここでは、図２及び図３に示すように、エアフィルタ２５は、その後側端部２５ｂの高さ位置が後側熱交換部１３ｃの後側端部の近傍にまで達しており、その前側端部２５ａの高さ位置が前側熱交換部１３ｂの高さ方向中央よりも下の位置にまで達している。前側熱交換部１３ａ，１３ｂに対応するエアフィルタ２５の部分は、天面吸込口２１から吸い込まれた室内空気から塵埃を捕集することができる。また、エアフィルタ２５の後側端部２５ｂの位置が吸込流路１６の出口１６ａよりも下側に位置しているので、後側熱交換部１３ｃに対応するエアフィルタ２５の部分は、下面吸込口２２から吸い込まれた室内空気から塵埃を捕集することができる。このように、エアフィルタ２５は、室内熱交換器１３の表面に室内空気中の塵埃が付着することを防いでいる。
【００５１】
（２−７）ガイド部材１４
図９は、エアフィルタ２５の後側端部２５ｂとガイド部材１４との位置関係を説明するための図である。
【００５２】
ガイド部材１４は、空調室内機１００の長手方向（空調室内機１００の左右方向）に長い部品であって、本実施形態では長方形状の平板の部品である。ガイド部材１４は、エアフィルタ２５の装着時にエアフィルタ２５の端部（ここでは、エアフィルタ２５の後側端部２５ｂ）をその上面の一部に乗り上げさせることで、エアフィルタ２５を所定位置（ここでは、図９に示す位置）へと導くためのものである。ガイド部材１４は、当接部に当接した状態のエアフィルタ２５の後側端部２５ｂ近傍から後方に向かって延びるようにガイドフレーム１９１，１９２，１９３に固定されている。図９に示すように、ガイド部材１４は、エアフィルタ２５の後側端部２５ｂの手前からエアフィルタ２５の装着方向（図９に示す矢印Ｚの方向）に沿って延びるように配置されている。
【００５３】
本実施形態のガイド部材１４は、所定位置に配置されたエアフィルタ２５の後側端部２５ｂが乗り上がる部分を含むガイド部１４１と、ガイド部１４１近傍であって平面視においてエアフィルタ２５の後側端部２５ｂと重なっていない主部１４２とを有している。主部１４２は、ガイド部材１４の短手方向（ここでは、前後方向）において曲率が変わる変曲部１４３を含む。変曲部１４３は、主部１４２の一方の端部（ここでは、前方の端部）に位置しており、ガイド部１４１に隣接している。また、変曲部１４３の曲率は、主部１４２の変曲部１４３以外の部分及びガイド部１４１のそれぞれの曲率よりも小さくなるように構成されている。すなわち、変曲部１４３はガイド部材１４の曲り基点となっており、図９に示すように、ガイド部材１４は変曲部１４３が上部後方に突出するように屈曲している。
【００５４】
また、ガイド部材１４の材料としては、各種金属や樹脂等の様々なものが採用され得る。本実施形態のガイド部材１４は平板状の部品であるため、例えば、上面へのエアフィルタ２５の後側端部２５ｂの乗り上げやすさを考慮して、加工が容易でありかつ表面の滑らかな板金がガイド部材１４として採用されてもよい。また、コスト面を考慮して、ガイド部材１４として樹脂製の平板部品が採用されてもよい。
【００５５】
（２−８）自動清掃機構７０
自動清掃機構７０は、空調室内機１００の制御装置（図示せず）によって制御される。自動清掃機構７０は、塵埃除去ユニット７３と、駆動機構７１と、塵埃貯留部としてのダストボックス７２とを含んでいる。駆動機構７１は、制御装置により制御され、塵埃除去ユニット７３を所定の軌道上で往復移動させる。塵埃除去ユニット７３は、エアフィルタ２５に付着した塵埃を除去する。ダストボックス７２には、塵埃除去ユニット７３がエアフィルタ２５から除去した塵埃が溜められる。
【００５６】
自動清掃機構７０は、所定の軌道に沿った塵埃除去ユニット７３の往復移動により、エアフィルタ２５に付着した塵埃を塵埃除去ユニット７３によって除去する。また、自動清掃機構７０は、塵埃除去ユニット７３の往復移動を利用して、塵埃除去ユニット７３がエアフィルタ２５から除去した塵埃を、塵埃除去ユニット７３から剥離させて回収し、ダストボックス７２へと溜める。
【００５７】
（３）自動清掃機構７０の詳細説明
（３−１）塵埃除去ユニット７３
図１０（ａ）及び図１０（ｂ）には、斜め上から見た塵埃除去ユニット７３の左側端部付近が描かれている。図１０（ａ）は、近接状態を採る塵埃除去ユニット７３の斜視図であり、図１０（ｂ）は、離反状態を採る塵埃除去ユニット７３の斜視図である。図１１（ａ）は、塵埃除去ユニット７３を塵埃除去ユニット７３の長手方向に対して直交する方向で切断した断面を描いた図である。図１１（ａ）には、塵埃除去ユニット７３が離反し且つエアフィルタ２５が間にある状態の塵埃除去ユニット７３の断面が描かれている。図１１（ｂ）には、後述する近接状態と離反状態にある左右の風上部７４１、及び風下部７３１の断面が示されている。なお、図１１（ｂ）に示されている状態は説明を分かり易くするためのものであって、実際の動作中のものではない。図１２（ａ）は、図１０（ａ）に示されている塵埃除去ユニット７３のＩＩ−ＩＩ線矢視断面図である。図１２（ｂ）は、図１０（ｂ）に示されている塵埃除去ユニット７３のＩＩＩ−ＩＩＩ線矢視断面図である。
【００５８】
塵埃除去ユニット７３は、風下部７３１と風上部７４１とが組み合わされることで構成されている。また、塵埃除去ユニット７３は、空調室内機１００の正面視において、右側と左側とに並ぶように２つ設けられており、右側の塵埃除去ユニット７３と左側の塵埃除去ユニット７３とが連結されている。
【００５９】
（３−１−１）風下部７３１
風下部７３１は、空調室内機１００の長手方向に沿った細長い部材である（図１０参照）。風下部７３１は、ローラ７３３と、風下側ブラシ７３４とを有する。
【００６０】
ローラ７３３は、風下部７３１の長手方向の両端部（左右両端部）近傍に設けられている。ローラ７３３は、風下部７３１の長手方向に延びる回転軸を中心として回転自在に取り付けられており、ガイドフレーム１９１，１９２，１９３の移動経路１９５に配置される。このローラ７３３が移動経路１９５に当接しながら移動経路１９５に沿って転がる。
【００６１】
風下側ブラシ７３４は、風下部７３１の長手方向の一方の端部近傍から他方の端部近傍まで、風下部７３１の長手方向に沿って配置されている。風下側ブラシ７３４は、エアフィルタ２５の空気流れの風下側に配置されている。風下側ブラシ７３４は、エアフィルタ２５の後面すなわちエアフィルタ２５の空気流れ下流側すなわち風下側に位置する面（以下、風下側面２５ｆ１という）に付着している塵埃の除去機能向上のために設けられている。
【００６２】
風下側ブラシ７３４は、例えば、樹脂製の平板状の第１基台７３４ａと、複数の線状の毛材７３４ｃとを有する。毛材７３４ｃは、第１基台７３４ａの第１面７３４ｂに植設されている。風下側ブラシ７３４は、毛材７３４ｃがエアフィルタに向かって真っ直ぐ立っている直毛ブラシである。例えば、塵埃除去ユニット７３の進行方向に対して直交する向きに毛材７３４ｃが植設される。図１１（ａ）では、毛材７３４ｃは、上下左右に広がる第１基台７３４ａから真っ直ぐ前に向かって延びている。そして、風下側ブラシ７３４の毛材７３４ｃは、後述する近接状態に塵埃除去ユニット７３があるときも後述する離反状態にあるときも、エアフィルタ２５の風下側面２５ｆ１と接触する。
【００６３】
また、風下部７３１の長手方向の両端部（左右両端部）には、風上部７４１に向かって延びる第１締結部材７３５が立設されている。左右の風下部７３１では、合計４本の第１締結部材７３５が上方に延びている。(図１１（ｂ）及び図１２(ｂ)参照)。第１締結部材７３５の上端部近傍には開口７３９が形成されている（図１２（ｂ）参照）。また、第１締結部材７３５の上端部の内面（中央側の面）であって該開口７３９の縁部上方には、内側（中央側）に向かって突出する第１突起部７３６が設けられている。ここでは、第１突起部７３６は、その断面が２つの傾斜面７３６ａ，７３６ｂを有する三角形状を呈するように形成されている。
【００６４】
（３−１−２）風上部７４１
風上部７４１は、風下部７３１と同様に、空調室内機１００の長手方向に沿った細長い形状を成している（図１０参照）。風上部７４１は、塵埃除去ユニット７３の近接状態においてエアフィルタ２５の風上側面２５ｆ２に接触する除去ブラシ７４２を有する。
【００６５】
除去ブラシ７４２は、風上部７４１の長手方向の一方の端部近傍から他方の端部近傍まで、風上部７４１の長手方向に沿って配置されている。除去ブラシ７４２は、エアフィルタ２５の空気流れ上流側に配置されている。除去ブラシ７４２は、エアフィルタ２５の風上側面２５ｆ２で塵埃を除去するために設けられている。そして、ここでは、風下側ブラシ７３４及び除去ブラシ７４２には、異なるタイプのブラシが採用されている。
【００６６】
除去ブラシ７４２は、例えば、樹脂製の第２基台７４２ａと、複数の毛材７４２ｃとを有する。複数の毛材７４２ｃは、第２基台７４２ａの第２面７４２ｂに植設されている。除去ブラシ７４２は、清掃時に除去ブラシ７４２が進む方向に向かって毛材７４２ｃが傾斜している傾斜ブラシである。図１１（ａ）では、毛材７４２ｃの延びる方向が斜め後下方を向くように設けられている。複数の毛材７４２ｃは、後述する近接状態のときに、エアフィルタ２５の表面に直接接触する。しかし、数の毛材７４２ｃは、後述する離反状態のときには、エアフィルタ２５の表面には接触しない。
【００６７】
ここで、本実施形態の除去ブラシ７４２には、例えば、パイル織りされた織物基布を用いることができる。織物基布は、織物の表面を覆っているパイル糸が一定の角度で傾斜するように織られており、細かな塵埃を捕集することができる。よって、本実施形態の複数の毛材７４２ｃとは、パイル織りされた織物基布の表面の短い繊維（パイル糸）のことである。なお、本実施形態では、除去ブラシ７４２にパイル織りされた織物基布を利用しているが、これに限定されるものではない。
【００６８】
図１１（ａ）に示すように、風下側ブラシ７３４と除去ブラシ７４２とは、エアフィルタ２５を挟んで向かい合うように配置されている。塵埃除去ユニット７３では、第１基台７３４ａの第１面７３４ｂと第２基台７４２ａの第２面７４２ｂとは、エアフィルタ２５に直交する方向から視て、その一部が重なるように互いに対向する位置に設置されている。
【００６９】
風上部７４１の長手方向の両端部（左右両端部）には、第１締結部材７３５の外側に位置する外側壁部７４３がある。外側壁部７４３は、風上部７４１の本体部７４１ｂの一部分である。風上部７４１には、本体部７４１ｂに嵌めこまれ、空間Ｓに取り付けられるバネ（図示せず）によって付勢された第２締結部材７４７が設けられている（図１２（ａ）参照）。第２締結部材７４７は、第１締結部材７３５の内側に位置する稼動部７４４と、稼動部７４４から外側壁部７４３の方に向かって延びる第２突起部７４５とを有する。稼動部７４４の外面（外側壁部７４３に近い側の面）には、外側（外側壁部７４３側）に向かって突出する第３突起部７４６が設けられている。ここでは、第３突起部７４６は、その断面形状が１つの傾斜面７４６ａを有する三角形状を呈するように形成されている。第２突起部７４５は、第１締結部材７３５の開口７３９を貫通する大きさに形成され、風下部７３１の方に向かって突出している。
【００７０】
（３−１−３）近接状態及び離反状態
塵埃除去ユニット７３は、風下側ブラシ７３４と除去ブラシ７４２とが近接している近接状態（図１０（ａ）参照）と、風下側ブラシ７３４と除去ブラシ７４２とが離反している離反状態（図１０（ｂ）参照）とを採ることができるように構成されている。
【００７１】
近接状態では、図１２（ａ）に示すように、第１突起部７３６の方が第３突起部７４６よりも風上側に位置する。詳しく見れば、近接状態では、第１突起部７３６の傾斜面７３６ａと第３突起部７４６の傾斜面７４６ａとが当接しており、第２突起部７４５の隣の凹部７４５ａと開口７３９下部を規定する面７３９ａとが近接又は一部当接している。
【００７２】
他方、離反状態では、図１２（ｂ）に示すように、第１突起部７３６の方が第３突起部７４６よりも風下側に位置する。詳しく見れば、離反状態では、第１突起部７３６の上面７３６ｃと第３突起部７４６の下面７４６ｂとが近接又は一部当接しており、第１突起部７３６の下面７３６ｄと第２突起部７４５の上面７４５ｂとが近接又は一部当接している。
【００７３】
なお、塵埃除去ユニット７３における離反状態と近接状態とがそれぞれ維持されるように、例えば、風上部７４１において図１２（ａ）に示す空間Ｓに、稼動部７４４を第１締結部材７３５に向かって付勢するバネ等の付勢部材が配設されている。
【００７４】
離反状態から近接状態に変化するときには、離反状態の塵埃除去ユニット７３が後側に移動することによって、外側壁部７４３の上面７４３ａが接触用ガイド凸部１９６の接触面１９７（図９参照）に当接する。さらに、塵埃除去ユニット７３が後方に向かって移動するに従って、接触用ガイド凸部１９６とエアフィルタ２５（フィルタ押え部材３００）の隙間が狭くなるので、接触用ガイド凸部１９６によって外側壁部７４３の上面７４３ａが風下部７３１の方に押し込まれる。そして、塵埃除去ユニット７３がエアフィルタ２５から後側に外れるまでに塵埃除去ユニット７３の風上部７４１と風下部７３１が近接状態になる。
【００７５】
塵埃除去ユニット７３の離反状態（図１２(ｂ)参照）では、第２締結部材７４７の第３突起部７４６の下面７４６ｂに第１締結部材７３５の第１突起部７３６の上面７３６ｃが接触し、第１締結部材７３５の第１突起部７３６の下面７３６ｄが第２締結部材７４７の第２突起部７４５の上面７４５ｂに当接することにより、上下の動きが規制される。また、第１締結部材７３５の第１突起部７３６の頂部が稼動部７４４の側面に接触することから、バネの付勢によって左右の動きが規制される。
【００７６】
近接状態から離反状態に変化するときには、塵埃除去ユニット７３の風下部７３１と風上部７４１は、風上部７４１の風下側の面と風下部７３１の風上側の面が離反用ガイド部３０２に当接して押し広げられることによって離反する。そのために、離反用ガイド部３０２は、上方から下方に向かって徐々に厚みが増すように形成されている。この離反用ガイド部３０２は、フィルタ押え部材３００に設けられている。離反用ガイド部３０２は、ここでは、フィルタ押え部材３００の前側端部３０１の左右両端にのみ設けられており、先端（ここでは、フィルタ押え部材３００の前側端部３０１）に向かうにつれて斜め前方向に傾斜した傾斜面３０２ａを含んでいる（図７及び図８参照）。なお、フィルタ押え部材３００は、正面視において、左右方向に並ぶように、本体フレーム１９に２つ固定されている。そして、エアフィルタ２５は、本体フレーム１９に設置された状態で、正面視において、右側と左側とに並ぶように２つ設置される。
【００７７】
塵埃除去ユニット７３の離反時には、第２締結部材７４７の第３突起部７４６が第１締結部材７３５の第１突起部７３６に押されて空間Ｓ内のバネが縮んで、稼動部７４４が中央側（内側）に向かって摺動する。塵埃除去ユニット７３が開ききると、第１締結部材７３５の第１突起部７３６を第２締結部材７４７の第３突起部７４６が乗り越えて第３突起部７４６が第１突起部７３６を押さなくなり、稼動部７４４を押すバネの付勢が緩和される。
【００７８】
塵埃除去ユニット７３の近接状態（図１２（ａ）参照）では、第１締結部材７３５の第１突起部７３６の下部の傾斜面７３６ａに第２締結部材７４７の第３突起部７４６の上部の傾斜面７４６ａが接触している。また、第１締結部材７３５の開口７３９の縁に第２締結部材７４７の第２突起部７４５の隣の凹部７４５ａが嵌っている。このような状態では、風下部７３１に対する風上部７４１の上下方向の動きは、第１締結部材７３５の開口７３９の縁に第２締結部材７４７の凹部７４５ａが接触していること及び第１締結部材７３５の第１突起部７３６の傾斜面７３６ａと第２締結部材７４７の第３突起部７４６の傾斜面７４６ａが接触していることによって規制される。また、風下部７３１に対する風上部７４１の左右方向の動きは、第２締結部材７４７の凹部７４５ａが第１締結部材７３５の開口７３９の縁に嵌合することによって規制される。
【００７９】
（３−２）駆動機構７１
図４に示されている駆動機構７１は、エアフィルタ２５の風上側面２５ｆ２及び風下側面２５ｆ１に沿わせながら、塵埃除去ユニット７３を、移動経路１９５の一方の端部と他方の端部との間を往復して移動させる。駆動機構７１は、例えば、駆動モータ７４と、駆動モータ７４の回転力を塵埃除去ユニット７３に伝達する駆動ベルト７５とを有している。
【００８０】
（３−２−１）駆動モータ７４
駆動モータ７４は、ガイドフレーム１９１，１９３の外側面に設けられており、専用のギアケース内に収納されている。駆動モータ７４は、１又は複数のギアを介して駆動ベルト７５近傍に位置するピニオンギア７５ｂを回転させる。
【００８１】
（３−２−２）駆動ベルト７５
駆動ベルト７５は、ガイドフレーム１９１，１９３の前側端部に設けられた前側プーリ７５ａと、ガイドフレーム１９１，１９３の後側端部に設けられた後側プーリ（図示せず）との間に掛け回された環状のベルトである。駆動ベルト７５の外面には、ピニオンギアと噛み合うラックギア（図示せず）が設けられており、駆動モータ７４が駆動することで、ピニオンギアが回転し、駆動ベルト７５が回転可能な構成になっている。
【００８２】
駆動ベルト７５には、風下部７３１の長手方向の一方の端部にある連結部７３８が固定されている。具体的には、空調室内機１００の正面視において、左側の塵埃除去ユニット７３の風下部７３１では、左側に位置する連結部７３８と駆動ベルト７５とが固定されている。また、正面視において、右側の塵埃除去ユニット７３の風下部７３１では、右側に位置する連結部７３８と駆動ベルト７５とが固定されている。また、左右の塵埃除去ユニット７３において駆動ベルト７５が固定されていない側は、左右の塵埃除去ユニット７３が互いに連結されて一体化されている（図１１（ｂ）参照）。これにより、駆動ベルト７５が回転して正転と逆転を繰り返すことで、塵埃除去ユニット７３がガイドフレーム１９１，１９２，１９３の移動経路１９５に沿って図５に示す矢印Ｘ１、矢印Ｙ１で示されている方向に往復移動する。
【００８３】
（３−３）ダストボックス７２
図１３は、自動清掃機構７０の前側端部に位置するダストボックス７２及びその近傍に移動してきた塵埃除去ユニット７３の断面図である。ダストボックス７２は、塵埃除去ユニット７３とは別体として、ケーシング１１の正面側において、塵埃除去ユニット７３の移動方向（ここでは、塵埃除去ユニット７３の移動方向は上下方向）の延長線上に配置されている。より詳しくは、ダストボックス７２は、ケーシング１１においてフィルタ押え部材３００の前側端部３０１よりも下方に、すなわち、エアフィルタ２５の前側端部２５ａの下方に固定されている。
【００８４】
ダストボックス７２内には、風下側ブラシ７３４及び除去ブラシ７４２によって除去されたエアフィルタ２５の塵埃が溜められる。そして、ダストボックス７２は、本体フレーム１９に対し着脱可能に取り付けられている。このため、ユーザは、ダストボックス７２を本体フレーム１９及びケーシング１１から取り外して、ダストボックス７２内に溜まった塵埃を容易に処理することができる。このダストボックス７２は、本体７２１と蓋７２２とを有する。
【００８５】
（３−３−１）本体７２１
ダストボックス７２の本体７２１は、空調室内機１００の長手方向に沿った細長い部材である。本体７２１は、図１３に示すように、上方に開口した箱状を呈している。また、本体７２１は、風下側ブラシ７３４及び除去ブラシ７４２が保持している塵埃を剥離させて回収するための塵埃回収ブラシとしての第１剥離ブラシ７２５及び第２剥離ブラシ７２６を有している。
【００８６】
第１剥離ブラシ７２５及び第２剥離ブラシ７２６は、本体７２１の長手方向に沿った細長い部材であって、平板状に形成されている。第１剥離ブラシ７２５及び第２剥離ブラシ７２６は、本体７２１の長手方向の一方の端部近傍から他方の端部近傍まで、本体７２１の長手方向に直交する短手方向（前後方向）の中央部分に配置されている。そして、第１剥離ブラシ７２５は、風下側ブラシ７３４の移動方向の延長線上に配置され、第２剥離ブラシ７２６は、除去ブラシ７４２の移動方向の延長線上に配置されている。したがって、塵埃除去ユニット７３が、エアフィルタ２５の表面に付着した塵埃を除去するための移動（ここでは、下方に向かう往路移動）をそのまま続けると、風下側ブラシ７３４及び除去ブラシ７４２が保持している塵埃を剥離させて回収することができる。ここでは、第１剥離ブラシ７２５も第２剥離ブラシ７２６も、本体７２１の開口７２１ａよりも上方に突出して設けられている。
【００８７】
第１剥離ブラシ７２５及び第２剥離ブラシ７２６は、風下側ブラシ７３４及び除去ブラシ７４２と摺接して風下側ブラシ７３４及び除去ブラシ７４２が保持している塵埃を剥離させて掻き取り、本体７２１の内部へと落とすことで塵埃を回収する。このような機能を持たせるため、第１剥離ブラシ７２５及び第２剥離ブラシ７２６の毛は、塵埃除去ユニット７３が本体７２１に向かって移動する方向に対して逆らう方向に向かって傾斜している。つまり、図１３に描かれているように、第１剥離ブラシ７２５の毛は、基台７２７の後面から斜め後上方に延びるように設けられている。また、第２剥離ブラシ７２６の毛は、基台７２７の前面から斜め前上方に延びるように設けられている。なお、第１剥離ブラシ７２５及び第２剥離ブラシ７２６には、例えば、基台７２７に線状の毛材を植毛したものの他、基台７２７にパイル織りされた織物基布を貼り付けたもののように、風下側ブラシ７３４及び除去ブラシ７４２から塵埃を剥離させて回収することのできるものが適宜採用される。
【００８８】
（３−３−２）蓋７２２
ダストボックス７２の蓋７２２は、空調室内機１００の長手方向に沿った細長い板状の部材であって、本体７２１の開口７２１ａを覆うことができる。蓋７２２は、中央で前後に分かれており、開口７２１ａのうちの後部を覆う第１蓋部７２３と開口７２１ａのうちの前部を覆う第２蓋部７２４とからなる。
【００８９】
この蓋７２２は、本体７２１の開口７２１ａを開閉できるように設けられている。図１３に示すように、第１蓋部７２３の短手方向の後側端部と、第２蓋部７２４の短手方向の前側端部とが回動自在に支持されている。そして、第１蓋部７２３及び第２蓋部７２４は、バネ部材等の図示しない付勢部材により、本体７２１の開口７２１ａを塞ぐ方向に付勢されている。これにより、第１蓋部７２３及び第２蓋部７２４は、本体７２１の開口７２１ａを閉じた姿勢（図１３に描かれている姿勢）を保つことができる。
【００９０】
（４）風下側ブラシ７３４と除去ブラシ７４２
図１４は、エアフィルタ２５の前側端部２５ａに位置する塵埃除去ユニット７３を側面から見た図である。図１５は、エアフィルタ２５の前側端部２５ａよりも下方に位置する塵埃除去ユニット７３を側面から見た図であって、図１４の塵埃除去ユニット７３が矢印Ｘ２の方向にさらに移動した状態を描いている。図１６は、エアフィルタ２５の後側端部２５ｂ近傍に位置する塵埃除去ユニット７３を側面から見た図である。図１７は、エアフィルタ２５の後側端部２５ｂよりも後方に位置する塵埃除去ユニット７３を側面から見た図であって、図１６の塵埃除去ユニット７３が矢印Ｙ２の方向にさらに移動した状態を描いている。
【００９１】
（４−１）自動清掃時の動作
風下側ブラシ７３４は、エアフィルタ２５の空気流れ下流側（風下側）に配置されており、塵埃除去ユニット７３のエアフィルタ２５に対する往復移動動作時には常に、すなわち塵埃除去ユニット７３の往路移動動作時及び復路移動動作時共に、毛材７３４ｃの毛先がエアフィルタ２５の風下側面２５ｆ１に接触している。これに対して、エアフィルタ２５の空気流れ上流側（風上側）に配置されている除去ブラシ７４２は、塵埃除去ユニット７３の往復移動動作時において、一方向移動動作時（ここでは、塵埃除去ユニット７３の往路移動動作時）には、毛材７４２ｃ（織物基布のパイル糸）がエアフィルタ２５の風上側面２５ｆ２に接触し、他方向移動動作時（ここでは、塵埃除去ユニット７３の復路移動動作時）には、毛材７４２ｃがエアフィルタ２５の風上側面２５ｆ２には接触しない。つまり、除去ブラシ７４２を有する風上部７４１は、塵埃除去ユニット７３の離反状態のときにエアフィルタ２５の表面から離反し、近接状態のときにエアフィルタ２５の表面に接触する。
【００９２】
近接状態から離反状態に変わるときの離反動作では、除去ブラシ７４２の毛先とエアフィルタ２５の風上側面２５ｆ２との間に隙間が生じる位置まで風上部７４１が風下部７３１に対して移動する。
【００９３】
離反状態から近接状態に変わる接触動作では、除去ブラシ７４２の毛先とエアフィルタ２５の風上側面２５ｆ２との間に隙間が生じない位置まで風上部７４１が風下部７３１に対して移動する。なお、離反動作でも接触動作でも、風下部７３１からエアフィルタ２５の表面までの距離は変わらない。
【００９４】
離反動作及び接触動作は、いずれもエアフィルタ２５の表面に沿った移動に応じて行われる。塵埃除去ユニット７３の離反動作は往路移動動作の最後に行われ、接触動作は復路移動動作の最後に行われる。この塵埃除去ユニット７３の離反動作は、風上部７４１がフィルタ押え部材３００に設けられた離反用ガイド部３０２で行われる。より詳しくは、図１４に示すように、フィルタ押え部材３００の前側端部３０１に設けられた離反用ガイド部３０２の傾斜面３０２ａと、風上部７４１の長手方向に交差する方向の短手方向の両端部のうちの図１４において下方に位置する側の端部７４１ａの面７４１ｆとが当接した状態で塵埃除去ユニット７３が矢印Ｘ２の方向に移動することで、離反動作が行われる。離反動作が完了すると、図１５に示すように、風上部７４１が風下部７３１から離れる方向（図１５では、前方）へと移動した状態で風上部７４１と風下部７３１の位置関係が固定される。従って、離反動作が完了した後に、塵埃除去ユニット７３が矢印Ｘ２とは逆方向に移動しても、塵埃除去ユニット７３は離反状態を維持する。
【００９５】
塵埃除去ユニット７３の接触動作は、風上部７４１がガイドフレーム１９１，１９２，１９３に設けられた接触用ガイド凸部１９６で行われる。より詳しくは、図１６に示すように、ガイドフレーム１９１，１９２，１９３において移動経路１９５の後側端部近傍に設けられた接触用ガイド凸部１９６の接触面１９７と風上部７４１の外側壁部７４３の上面７４３ａとが当接した状態で塵埃除去ユニット７３が矢印Ｙ２の方向に移動することで、接触動作が行なわれる。接触動作が完了すると、図１７に示すように、風上部７４１が風下部７３１に向かう方向（図１７では、斜め前下方）へと移動した状態で風上部７４１と風下部７３１の位置関係が固定される。従って、接触動作が完了した後に、塵埃除去ユニット７３が矢印Ｙ２とは逆方向に移動しても、塵埃除去ユニット７３は近接状態を維持する。
【００９６】
（５）塵埃の除去動作
図１８（ａ）及び図１８（ｂ）は、塵埃回収動作時の塵埃除去ユニット７３とダストボックス７２との位置関係を示す概念図である。
【００９７】
空調室内機１００は、ケーシング１１内に自動清掃機構７０の動作を制御する制御装置（図示せず）を内蔵している。制御装置は、空調室内機１００の運転時間をカウントしており、前回の自動清掃運転からの累積運転時間が所定時間（例えば、２４時間）に到達したときに、自動清掃運転を行う。自動清掃運転では、塵埃除去ユニット７３を所定回数（例えば、１回）だけ固定されているエアフィルタ２５に対して往復移動させる往路移動動作及び復路移動動作の他に、塵埃除去ユニット７３の往復移動を利用して風下側ブラシ７３４及び除去ブラシ７４２が保持している塵埃を剥離させて回収する塵埃回収動作が行われる。
【００９８】
（５−１）往路移動動作
空調室内機１００の運転停止時や通常運転（暖房運転や冷房運転）時には、塵埃除去ユニット７３は、図９に示すように、エアフィルタ２５の後側端部２５ｂよりも背面側のガイド部材１４の主部１４２に位置しており、ここが清掃運転開始時の初期位置となっている。このため、塵埃除去ユニット７３が初期位置にある場合、風下側ブラシ７３４及び除去ブラシ７４２は、エアフィルタ２５の後側端部２５ｂよりも背面側に位置しており、かつ塵埃除去ユニット７３がエアフィルタ２５とは重ならないようになっている。さらに、塵埃除去ユニット７３が初期位置にある場合、塵埃除去ユニット７３は風下部７３１と風上部７４１とが近接した近接状態を採っている。したがって、本実施形態では、自動清掃機構７０による清掃運転の開始とほぼ同時にエアフィルタ２５の塵埃除去動作が開始されることになる。
【００９９】
清掃運転が開始されると、まず、近接状態を採る塵埃除去ユニット７３が、エアフィルタ２５に対して移動する往路移動動作（矢印Ｘ３，Ｘ１，Ｘ２の方向への移動動作）が行われる。往路移動動作では、初期位置にある塵埃除去ユニット７３が、エアフィルタ２５の後側端部２５ｂを通過し、エアフィルタ２５の前側端部２５ａの下方まで移動する。ここで、塵埃除去ユニット７３の除去ブラシ７４２は、初期位置からエアフィルタ２５の後側端部２５ｂへと至る前にエアフィルタ２５の後側端部２５ｂの段差１４５を通過する。そして、往路移動動作では、風下側ブラシ７３４の毛材７３４ｃがエアフィルタ２５の風下側面２５ｆ１に接触して、風下側面２５ｆ１に付着している塵埃を風上側面２５ｆ２へと押し出す。一方で、除去ブラシ７４２の毛材７４２ｃ（織物基布のパイル糸）がエアフィルタ２５の風上側面２５ｆ２に接触して、エアフィルタ２５の風上側面２５ｆ２に付着している塵埃を捕獲する。なお、除去ブラシ７４２の毛材７４２ｃは、塵埃除去ユニット７３の移動方向に逆らう向きに傾斜しているので、毛材７４２ｃがエアフィルタ２５の風上側面２５ｆ２に付着した塵埃を取り除き、毛材７４２ｃの先から根元へと溜め込む。
【０１００】
そして、塵埃除去ユニット７３がエアフィルタ２５の前側端部２５ａまで移動すると、離反用ガイド部３０２の傾斜面３０２ａに沿って風上部７４１が前方に押し出されることで、第１締結部材７３５の第１突起部７３６と第２締結部材７４７の第３突起部７４６とがそれぞれ相手側の傾斜面７３６ａ，７４６ａに沿って移動し、第３突起部７４６が第１突起部７３６を乗り越える。これにより、第１突起部７３６が第３突起部７４６と第２突起部７４５の間に挟まれて係合した状態になり、風下部７３１に対する風上部７４１の位置が離反状態で固定される。近接状態から離反状態に切り替わった塵埃除去ユニット７３は、往路の終点であるフィルタ押え部材３００の前側端部３０１まで移動する。これにより、塵埃除去ユニット７３の往路移動動作が終了する。
【０１０１】
（５−２）塵埃回収動作
フィルタ押え部材３００の前側端部３０１まで移動した塵埃除去ユニット７３は、離反状態を採った状態のまま塵埃回収動作を行う。塵埃回収動作では、第１剥離ブラシ７２５及び第２剥離ブラシ７２６の近傍で塵埃除去ユニット７３が複数回往復移動される。ここでは、風下側ブラシ７３４及び除去ブラシ７４２が第１剥離ブラシ７２５及び第２剥離ブラシ７２６に対して直線に沿った軌道を描くように複数回（例えば、３回）往復移動する。ここでいう直線に沿った軌道とは、直線に対して全く湾曲していない軌道であってもよく、大きな曲線の軌道であってもよい。
【０１０２】
また、塵埃回収動作では、図１８（ａ）及び図１８（ｂ）に示すように、風下側ブラシ７３４及び除去ブラシ７４２は、第１剥離ブラシ７２５及び第２剥離ブラシ７２６を完全に通過するように第１剥離ブラシ７２５及び第２剥離ブラシ７２６の移動方向に平行な方向の幅よりも長い距離を往復移動する。そして、図１８（ｂ）に示すように、塵埃回収動作時の往路移動では、塵埃除去ユニット７３は、フィルタ押え部材３００の前側端部３０１からダストボックス７２の内部まで移動する。なお、塵埃回収動作時の塵埃除去ユニット７３の往路移動の際には、第１剥離ブラシ７２５及び除去ブラシ７４２が塵埃除去ユニット７３の移動方向に逆らう向きに傾斜しているため、風下側ブラシ７３４が第１剥離ブラシ７２５に摺接しながら移動することで風下側ブラシ７３４が保持している塵埃が第１剥離ブラシ７２５によって掻き取られ、除去ブラシ７４２が第２剥離ブラシ７２６に摺接しながら移動することで除去ブラシ７４２が保持している塵埃が第２剥離ブラシ７２６によって掻き取られる。これにより、風下側ブラシ７３４及び除去ブラシ７４２が保持している塵埃が風下側ブラシ７３４及び除去ブラシ７４２から剥離される。風下側ブラシ７３４及び除去ブラシ７４２から剥離された塵埃は、その大部分が第１剥離ブラシ７２５及び第２剥離ブラシ７２６の主に根元に絡みついて第１剥離ブラシ７２５及び第２剥離ブラシ７２６が受け取ることになるが、一部は自重により下方へと落下することで回収されることになる。また、塵埃回収動作時の塵埃除去ユニット７３の復路移動の際には、第１剥離ブラシ７２５及び第２剥離ブラシ７２６が塵埃除去ユニット７３の移動方向に従う向きに傾斜しているため、風下側ブラシ７３４が第１剥離ブラシ７２５に摺接しながら移動し、除去ブラシ７４２が第２剥離ブラシ７２６に摺接しながら移動しても、ブラシ間を移動する塵埃は少ない。この塵埃回収動作における塵埃除去ユニット７３の往復移動が複数回行われることで、風下側ブラシ７３４及び除去ブラシ７４２が保持している塵埃は、第１剥離ブラシ７２５及び第２剥離ブラシ７２６によって剥離されて受け取られ、ブラシ下部へと移動していき、第１剥離ブラシ７２５及び第２剥離ブラシ７２６から離れる。第１剥離ブラシ７２５及び第２剥離ブラシ７２６から離れた塵埃は、自重により下方へと落下することで回収され、ダストボックス７２内に溜められる。
【０１０３】
また、塵埃回収動作時の塵埃除去ユニット７３の往路移動の際には、風下側ブラシ７３４の移動に伴って第１蓋部７２３が付勢部材の付勢力に逆らって押し下げられて回動することで第１蓋部７２３が開いていき、除去ブラシ７４２の移動に伴って第２蓋部７２４が付勢部材の付勢力に逆らって押し下げられて回動することで第２蓋部７２４が開いていく。これにより、図１８（ｂ）に示すように、第１蓋部７２３及び第２蓋部７２４が開状態となり、本体７２１の開口７２１ａが開放された状態になる。一方で、第１蓋部７２３及び第２蓋部７２４は付勢部材により本体７２１の開口７２１ａを閉じる閉状態となるように付勢されているため、塵埃回収動作時の塵埃除去ユニット７３の復路移動の際には、風下側ブラシ７３４の移動に伴って第１蓋部７２３が回動することで第１蓋部７２３が閉じていき、除去ブラシ７４２の移動に伴って第２蓋部７２４が回動することで第２蓋部７２４が閉じていく。これにより、図１８（ａ）に示すように、第１蓋部７２３及び第２蓋部７２４が閉状態となり、本体７２１の開口７２１ａが塞がれた状態になる。塵埃回収動作において、第１剥離ブラシ７２５及び第２剥離ブラシ７２６から離れた塵埃は、塵埃回収動作時の塵埃除去ユニット７３の往路移動時に、本体７２１の開口７２１ａが開放された状態のときに、本体７２１の開口７２１ａを介して本体７２１の内部空間に溜められることになる。このようにして、ダストボックス７２内に塵埃が貯留される。
【０１０４】
（５−３）復路移動動作
塵埃回収動作の終了後、フィルタ押え部材３００の前側端部３０１に位置する塵埃除去ユニット７３が往路移動動作時とは反対方向に移動する復路移動動作（矢印Ｙ１，Ｙ２の方向への移動動作）が行われる。往路移動動作開始時には、塵埃除去ユニット７３は離反状態を採っているため、風下側ブラシ７３４はエアフィルタ２５の風下側面２５ｆ１に接触しているが、除去ブラシ７４２はエアフィルタ２５の風上側面２５ｆ２には接触していない。このため、復路移動動作の際にも、エアフィルタ２５の風下側面２５ｆ１から風上側面２５ｆ２へと塵埃が押し出される。一方で、エアフィルタ２５の風上側面２５ｆ２には除去ブラシ７４２が接触していないので、ダストボックス７２に捨てきれなかった塵埃が除去ブラシ７４２に残っていたとしても、エアフィルタ２５の風上側面２５ｆ２への塵埃の付着を防止することができる。
【０１０５】
塵埃除去ユニット７３がエアフィルタ２５の後側端部２５ｂ近傍まで移動すると、接触用ガイド凸部１９６の接触面１９７に沿って風上部７４１が下方に押し下げられることで、第２締結部材７４７の第３突起部７４６が第１締結部材７３５の第１突起部７３６の傾斜面７３６ｂに沿って移動し、第３突起部７４６が第１突起部７３６を乗り越える。これにより、第１突起部７３６と第３突起部７４６及び第２突起部７４５との係合が解除され、風下部７３１に対する風上部７４１の位置が近接状態で固定される。離反状態から近接状態に切り替わった塵埃除去ユニット７３は、復路の終点であって往路の始点である初期位置まで移動する。これにより、清掃運転が終了する。なお、上記動作は、リモートコントローラ（図示せず）を使って制御装置に指示を送信することにより強制的に実行させることができるように構成されてもよい。
【０１０６】
（６）エアフィルタ２５の固定
図１９には、本体フレーム１９にエアフィルタ２５を載置して、まさにフィルタ押え部材３００でエアフィルタ２５を本体フレーム１９に固定しようとしている場面が示されている。なお、図１９には、本体フレーム１９のうちの右側部分の部材が示されている。また、図１９においては、エアフィルタ２５の網目の記載が省略されている。エアフィルタ２５は、フィルタ押え部材３００によって本体フレーム１９に固定される。
【０１０７】
フィルタ押え部材３００には、前側に摘み部３０５が設けられている。ユーザは、この摘み部３０５を摘んでフィルタ押え部材３００を持ち上げたり引き下げたりして、フィルタ押え部材３００を本体フレーム１９に固定したり本体フレーム１９に対するフィルタ押え部材３００の固定を解除したりする。フィルタ押え部材３００の後端部には、本体フレーム１９の回転軸１９９に回動可能に嵌合される軸穴３０７が形成されている（図５参照）。前述の動作を別の観点から見ると、摘み部３０５を摘んでフィルタ押え部材３００を持ち上げたり引き下げたりすると、回転軸１９９を中心にフィルタ押え部材３００の全体が回転してフィルタ押え部材３００の前の部分が開いたり閉じたりすることになる。
【０１０８】
フィルタ押え部材３００の前部には、被掛止片３０６が本体フレーム１９の方に向かって突出している。本体フレーム１９には、被掛止片３０６を係止するための掛止突起１９８がフィルタ押え部材３００の方に向かって突出している。この被掛止片３０６の上面が掛止突起１９８の下面に引っ掛かることにより、フィルタ押え部材３００が本体フレーム１９に固定される。
【０１０９】
また、この掛止突起１９８の上面は、エアフィルタ２５の前側端部２５ａが当接する当接部でもある。前側端部２５ａが掛止突起１９８の上面に当接することによりエアフィルタ２５の前側に位置決めが行なわれる。
【０１１０】
図２０（ａ）には、図４に示した本体フレーム１９の長手方向中央の後部の一部を拡大して示されている。図２０（ｂ）には、図２０（ａ）のＩＶ‐ＩＶ線で切断して背面側を見たときに現れる断面が示されている。ガイドフレーム１９２は、上部リブ１９２ａと下部リブ１９２ｂとフィルタ支持リブ１９２ｃとを含んでいる。移動経路１９５は、上部リブ１９２ａ及びフィルタ支持リブ１９２ｃと下部リブ１９２ｂとの間に形成されている。風下部７３１のローラ７３３が移動経路１９５に当接しながら移動経路１９５に沿って転がることで、風下部７３１が移動経路１９５に沿った軌道を描きながら移動する。
【０１１１】
図２１には、上部リブ１９２ａが示されており、フィルタ支持リブ１９２ｃの上面２０１に前後に並んで複数の凹部２０２が形成されている。凹部２０２は前後に長い形状を有する。この凹部２０２の配置位置は、貫通穴２５３の配置位置に対応している。そして、凹部２０２の前後の傾斜壁２０２ａ，２０２ｂは、前方の傾斜壁２０２ａの傾斜が急で短く、後方の傾斜壁２０２ｂの傾斜が緩やかで長くなっており、この凹部２０２は有底である。
【０１１２】
図２２には、フィルタ押え部材３００の凸部３０４と、エアフィルタ２５の貫通穴２５３と、本体フレーム１９のフィルタ支持リブ１９２ｃの凹部２０２の部分が拡大して示されている。なお、図２２においては、エアフィルタ２５の網目の記載が省略されている。フィルタ押え部材３００と本体フレーム１９には、フィルタ枠体２５２を固定する固定機構として、凸部３０４と凹部２０２が設けられている。また、固定機構として、エアフィルタ２５の後側端部２５ｂが当接する当接部（図示せず）及び前側端部２５ａが当接する掛止突起１９８が設けられている。このエアフィルタ２５の後側端部２５ｂは、エアフィルタ２５の装着時には装着方向先端側の端部となる。エアフィルタ２５が本体フレーム１９とフィルタ押え部材３００との間に滑り込むようにして装着され、エアフィルタ２５は、装着時に後側端部２５ｂが当接部に突き当たるまで移動する。
【０１１３】
エアフィルタ２５の後側端部２５ｂが当接部に当接した状態で、エアフィルタ２５の前側端部２５ａを掛止突起１９８の上面に当接させてエアフィルタ２５の位置決めを行なう。エアフィルタ２５が位置決めされた状態で、掛止突起１９８を被掛止片３０６に引っ掛けることでフィルタ押え部材３００を本体フレーム１９に固定することができる。そして、フィルタ押え部材３００を本体フレーム１９に固定することでエアフィルタ２５の固定が完了する。
【０１１４】
フィルタ押え部材３００を本体フレーム１９に固定するとき、フィルタ押え部材３００の凸部３０４がエアフィルタ２５の貫通穴２５３を貫通してフィルタ支持リブ１９２ｃの凹部２０２に嵌合する。フィルタ押え部材３００を本体フレーム１９に固定することで、凸部３０４と凹部２０２により、エアフィルタ２５はフィルタ押え部材３００及び本体フレーム１９に係止される。フィルタ枠体２５２は、フィルタ清掃時に除去ブラシ７４２と風下側ブラシ７３４にエアフィルタ２５を挟んだ状態で塵埃除去ユニット７３が移動しても、凸部３０４と凹部２０２により貫通穴２５３の周囲の第１伸延部２５２ａが係止されて、本体フレーム１９に対する相対的な位置を維持する。
【０１１５】
このように、本体フレーム１９がフィルタ押え部材３００の凸部３０４に嵌合する凹部２０２を有し、フィルタ枠体２５２の貫通穴２５３を貫通したフィルタ押え部材３００の凸部３０４と本体フレーム１９のフィルタ支持リブ１９２ｃの凹部２０２とが係合することから、フィルタ押え部材３００の位置も本体フレーム１９によって固定される。その結果、エアフィルタ２５を本体フレーム１９とフィルタ押え部材３００の両方によって強固に固定することができる。
【０１１６】
（７）特徴
（７−１）
本実施形態の空調室内機１００を備える空気調和機では、フィルタ押え部材３００が凸部３０４を有し、フィルタ枠体２５２がフィルタ押え部材３００の凸部３０４に係合する貫通穴２５３を有する。この貫通穴２５３は係合部である。このような構成により、フィルタ本体２５１の通風を邪魔すること無くを凸部３０４と貫通穴２５３とを係合させてフィルタ押え部材３００でエアフィルタ２５を十分に固定できる。その結果、複数の凸部３０４及び複数の貫通穴２５３により、通風抵抗を増やすこと無くエアフィルタの動きの十分な規制が実現できる。
【０１１７】
（７−２）
空気調和機の空調室内機１００では、塵埃除去ユニット７３を前後に相対移動させてエアフィルタから塵埃を自動的に除去する自動清掃機構７０を備えている。この自動清掃機構７０によるエアフィルタ２５の塵埃除去時にエアフィルタ２５に塵埃除去ユニット７３から応力が加わってもフィルタ押え部材３００の凸部２０４と係合部であるエアフィルタ２５の貫通穴２５３との係合によってガタつかないように固定できる。
【０１１８】
（７−３）
空気調和機の空調室内機１００では、凸部３０４がフィルタ押え部材３００の第１伸延部２５２ａに形成されるとともに、係合部である貫通穴２５３がフィルタ枠体２５２に設けられ、凸部３０４及び貫通穴２５３がフィルタ枠体２５２から食み出してフィルタ本体２５１に掛からないことから、凸部３０４及び貫通穴２５３によって通風抵抗が増すことが防止されている。その結果、通風抵抗を増やすこと無くエアフィルタ２５の動きを十分に規制できる構成を容易に実現できる。
【０１１９】
（７−４）
空気調和機の空調室内機１００では、フィルタ押え部材３００の凸部３０４及び係合部である貫通穴２５３が前後に長いことから、エアフィルタ２５を前後に差し込んだときに、フィルタ押え部材３００の凸部３０４とフィルタ枠体２５２の係合部である貫通穴２５３とを嵌合させ易くなる。その結果、凸部３０４と貫通穴２５３とを嵌合させなくてはならなくても、エアフィルタ２５の取り付け易さを確保しながらエアフィルタ２５の十分な規制を実現できる。
【０１２０】
（７−５）
空調室内機１００では、フィルタ押え部材３００の後部の軸穴３０７が回転軸１９９により軸支されていることから、フィルタ押え部材３００を持ち上げたときに軸支されている回転軸１９９から凸部３０４までの距離を常に一定にすることができる。エアフィルタ２５を挿入したときにエアフィルタ２５の貫通穴２５３とフィルタ押え部材３００の凸部３０４とを係合し易くなる。
【０１２１】
（７−６）
空調室内機１００では、フィルタ押え部材３００の第１嵌合部である被掛止片３０６と本体フレーム１９の第２嵌合部である掛止突起１９８とを嵌め合わせることで、エアフィルタ２５の貫通穴２５３にフィルタ押え部材３００の凸部３０４を係合させることができる。その結果、エアフィルタ２５をフィルタ押え部材３００と本体フレーム１９のフィルタ支持リブ１９２ｃの間に挟み込んだ状態で簡単にエアフィルタ２５を固定することができ、エアフィルタ２５の取り付けと取り外しを簡単に行なえるようになる。
【０１２２】
（７−７）
本体フレーム１９は、フィルタ押え部材３００の凸部３０４に嵌合する凹部２０２を有している。そのため、フィルタ枠体２５２の貫通穴２５３を貫通したフィルタ押え部材３００の凸部３０４と本体フレーム１９のフィルタ支持リブ１９２ｃの凹部２０２とが係合することから、フィルタ押え部材３００の位置も本体フレーム１９によって固定される。その結果、エアフィルタ２５を本体フレーム１９とフィルタ押え部材３００の両方によって強固に固定することができる。
【０１２３】
（７−８）
空調室内機１００では、フィルタ押え部材３００が凸部３０４を有し、フィルタ枠体２５２が貫通穴２５４を有し、さらに本体フレーム１９が凹部２０２を有しており、つまりフィルタ押え部材３００、フィルタ枠体２５２及び本体フレーム１９の３つ全てが凸部又は係合部を有している。このように、フィルタ押え部材３００、フィルタ枠体２５２及び本体フレーム１９の３つの全てを用いてエアフィルタ２５を固定できることから、より確実にエアフィルタ２５の固定ができる。
【０１２４】
（７−９）
空調室内機１００では、エアフィルタ２５は、係合部としてフィルタ枠体２５２に貫通穴２５４が形成されていることから、フィルタ枠体２５２に凸部を形成しなくても済み、エアフィルタ２５から凸部を無くすことで、エアフィルタ２５の挿入がスムーズになる。
【０１２５】
（８）変形例
（８−１）変形例Ａ
上記実施形態では、フィルタ押え部材３００が凸部３０４を有し、エアフィルタ２５Ａのフィルタ枠体２５２がフィルタ押え部材３００の凸部３０４に係合する貫通穴２５３を有する場合について説明したが、図２３に示されているように、本体フレーム１９Ａのフィルタ支持リブ１９２ｄが前後に長い凸部２０４を有するように形成することもできる。この場合、フィルタ押え部材３００Ａが前後に長い凹部３０８を有するように構成してもよい。この場合、エアフィルタ２５Ａのフィルタ枠体２５２Ａの前後に長い貫通穴２５４は、下に向かって開口が徐々に大きくなるように形成されている。なお、図２３においては、エアフィルタ２５の網目の記載が省略されている。
【０１２６】
また、上記実施形態と変形例Ａとを組み合わせて、フィルタ押え部材に前後に長い凸部３０４を形成し、それに対応する２種類の前後に長い貫通穴２５３，２５４をフィルタ枠体に形成し、本体フレームのフィルタ支持リブに前後に長い凸部２０４を形成してもよい。さらにこの場合に、フィルタ押え部材の下面に前後に長い凹部３０８を形成し、本体フレームのフィルタ支持リブの上面に前後に長い凹部２０２を形成してもよい。
【０１２７】
（８−２）変形例Ｂ
上記実施形態及び変形例Ａでは、本体フレーム及び／又はフィルタ押え部材が凸部を有し、フィルタ枠体が本体フレーム及び／又はフィルタ押え部材の凸部に係合する係合部を有する場合について説明したが、フィルタ枠体が凸部を有し、本体フレーム及び／又はフィルタ押え部材がフィルタ枠体の凸部に係合する係合部を有するように構成してもよい。
【０１２８】
図２４には、その上下にそれぞれ前後に長い凸部２５５，２５６を有するエアフィルタ２５Ｂのフィルタ枠体２５２Ｂが示されている。なお、図２４においては、エアフィルタ２５の網目の記載が省略されている。このフィルタ枠体２５２Ｂの凸部２５５に対応して、フィルタ押え部材３００Ｂは、その下面に前後に長い凹部３０９を有するように構成され、このフィルタ枠体２５２Ｂの凸部２５６に対応して、本体フレーム１９Ｂのフィルタ支持リブ１９２ｅが前後に長い凹部２０５を有するように構成されてもよい。
【０１２９】
あるいは、このフィルタ枠体２５２Ｂの凸部２５５のみを設けて、それに対応して、フィルタ押え部材３００Ｂの下面に凹部３０９のみを設けてもよい。あるいは、このフィルタ枠体２５２Ｂの凸部２５６のみを設けて、それに対応して、本体フレーム１９Ｂのフィルタ支持リブ１９２ｅに凹部２０５のみを設けてもよい。またあるいは、これら凹部２０５，３０９を貫通穴とすることもできる。
【０１３０】
（８−３）変形例Ｃ
上記実施形態及び上記変形例では、本体フレーム及び／又はフィルタ押え部材は、塵埃除去ユニットの移動方向に長く延びた第１伸延部を有し、凸部又は係合部が第１伸延部に形成されている場合について説明した。しかし、凸部又は係合部が第２伸延部に形成されていてもよい、ものである。この空気調和機では、凸部又は係合部が本体フレーム及び／又はフィルタ押え部材の第２伸延部に形成されていることから、第１伸延部と協働してエアフィルタの前後左右の動きの十分な規制が実現できる。
【０１３１】
図２５には、左右に長い凸部３１１がフィルタ押え部材３００Ｃの第２伸延部３１０に形成され、その凸部３１１に嵌合する左右に長い貫通穴２５７がエアフィルタ２５Ｃの第２伸延部２５２ｂに形成されているものが示されている。なお、図２５においては、エアフィルタ２５の網目の記載が省略されている。
【０１３２】
（８−４）変形例Ｄ
上記実施形態及び変形例Ａ乃至Ｃでは、係合部が貫通穴２５３，２５４，２５７又は凹部２０５，３０９である場合について説明したが、係合部は切欠きであってもよい。
【０１３３】
（８−５）変形例Ｅ
上記実施形態及び変形例Ａ乃至Ｃでは、自動清掃機構７０の塵埃除去ユニット７３が前後に移動する場合について説明したが、塵埃除去ユニットの移動方向は左右方向でもよい。
【０１３４】
（８−５）変形例Ｆ
上記実施形態では、エアフィルタ２５に係合部としてフィルタ枠体２５２に貫通穴２５３が形成され、フィルタ押え部材３００が貫通穴２５３に対応した位置に凸部３０４を有し、本体フレーム１９が凸部３０４に対応した位置に凸部３０４と係合する凹部２０２を有するものについて説明している。しかし、フィルタ枠体に貫通穴が形成されている場合において、本体フレームが貫通穴に対応した位置に凸部を有し、フィルタ押え部材が凸部に対応した位置に凸部と係合する凹部を有するように形成されてもよい。
【符号の説明】
【０１３５】
１３      室内熱交換器（熱交換器）
１９，１９Ａ，１９Ｂ      本体フレーム
２５，２５Ａ，２５Ｂ，２５Ｃ      エアフィルタ
７０      自動清掃機構
７２      ダストボックス
７３      塵埃除去ユニット
１００      空調室内機
１９８      掛止突起（第２嵌合部）
２５１      フィルタ本体
２５２      フィルタ枠体
２５２ａ      第１伸延部
２５５，２５６      凸部
２０４，３０４，３１１      凸部
２０５，３０９      凹部（係合部）
２５３，２５４，２５７      貫通穴（係合部）
３００，３００Ａ，３００Ｂ，３００Ｃ      フィルタ押え部材
３０６      被掛止片（第１嵌合部）
３１０      第２伸延部
７３１      風下部
７３４      風下側ブラシ
７４１      風上部
７４２      除去ブラシ
【先行技術文献】
【特許文献】
【０１３６】
【特許文献１】特開平１０−２６３９９号公報
【図１】
2017020665.tif 000003
【図２】
2017020665.tif 000004
【図３】
2017020665.tif 000005
【図４】
2017020665.tif 000006
【図５】
2017020665.tif 000007
【図６】
2017020665.tif 000008
【図７】
2017020665.tif 000009
【図８】
2017020665.tif 000010
【図９】
2017020665.tif 000011
【図１０】
2017020665.tif 000012
【図１１】
2017020665.tif 000013
【図１２】
2017020665.tif 000014
【図１３】
2017020665.tif 000015
【図１４】
2017020665.tif 000016
【図１５】
2017020665.tif 000017
【図１６】
2017020665.tif 000018
【図１７】
2017020665.tif 000019
【図１８】
2017020665.tif 000020
【図１９】
2017020665.tif 000021
【図２０】
2017020665.tif 000022
【図２１】
2017020665.tif 000023
【図２２】
2017020665.tif 000024
【図２３】
2017020665.tif 000025
【図２４】
2017020665.tif 000026
【図２５】
2017020665.tif 000027